(57)【要約】【課題】玉箱の内部空間に収容されている玉が外部から見えることで利用者の抽選への参加意欲を高めることができるとともに、玉が外部から見えることによって逆に参加意欲が削がれることを防止することができ、結果として利用者の抽選への参加意欲を大いに高めることが可能となる抽選器を提供すること。【解決手段】多数の玉１を収容する内部空間を有するとともに側面に玉出口３を有する玉箱２と、前記玉箱を中心軸回りに回転可能に支持する支持部材３と、を備えており、前記玉箱は、前記内部空間を外部から視認可能とする透明又は半透明な前面部を備えるとともに、前記前面部の一部のみに前記玉出口の内部空間側を外部から視認不可とする非透明部が設けられていることを特徴とする抽選器である。【選択図】図１
2014106931.tif 000002
【特許請求の範囲】
【請求項１】
多数の玉を収容する内部空間を有するとともに側面に玉出口を有する玉箱と、前記玉箱を中心軸回りに回転可能に支持する支持部材と、を備えており、
前記玉箱は、前記内部空間を外部から視認可能とする透明又は半透明な前面部を備えるとともに、前記前面部の一部のみに前記玉出口の内部空間側を外部から視認不可とする非透明部が設けられていることを特徴とする抽選器。
【請求項２】
前記内部空間に収容された多数の玉は、抽選結果を表すために色分けされた色表示部を有し、前記色表示部は、一方向からは見えるが他方向からは見えない玉表面の一部のみに設けられていることを特徴とする請求項１記載の抽選器。
【請求項３】
前記内部空間に収容された多数の玉は、前記玉出口から落下して着地した時の衝撃を受けて発光することにより、抽選結果を表す色を表示することを特徴とする請求項１記載の抽選器。
【請求項４】
前記内部空間に収容された多数の玉は、特定波長域の光を受光することにより、抽選結果を表す色を表示することを特徴とする請求項１記載の抽選器。
【請求項５】
前記非透明部は、前記前面部の内面に密接して配置された非透明板から構成されており、前記非透明板に前記玉箱を回転させる際に把持する取っ手が取り付けられていることを特徴とする請求項１乃至４いずれかに記載の抽選器。
【発明の詳細な説明】
【技術分野】
【０００１】
本発明は抽選器に関し、より詳しくは利用者の抽選への参加意欲を高めることができる抽選器に関する。
【背景技術】
【０００２】
一般に、商店街の福引き等においては、六角柱状や八角柱状の玉箱を基板上に回転可能に支持し、玉箱の内部空間に複数色の玉を収容し、玉箱を回転させることにより無作為に玉を取り出すことができる構造を有する抽選器が広く使用されている。
【０００３】
従来、このような抽選器は、玉箱の内部空間に収容されている玉が外部からは見えないように構成されている。そのため、抽選器の利用者は、玉箱内に当たり玉が入っているかどうかが確認できず、抽選への参加意欲が削がれてしまう場合があった。
【０００４】
このような実状に鑑みて、玉箱の全体又は一部を透明とすることで、外部から玉箱の内部が見えるようにした抽選器が提案されている（下記特許文献１及び２参照）。
特許文献１には、玉箱の前板を内部を透視できる透明板とした抽選器が開示されている（請求項４、段落［００１４］参照）。特許文献２には、玉箱全体を透明板から形成して中が見えるようにした抽選器が開示されている（段落［００２０］参照）。
【０００５】
これらの抽選器は、玉箱内に当たり玉が入っていることが外部から見えることで利用者の興味を惹き付けることができる反面、当たり玉が入っていないことも外部から見えてしまう。そのため、当たり玉が出尽くして入っていない状態となった場合に、利用者は抽選に参加する意欲を無くしてしまう。また、当たり玉が入っている場合であっても、当たり玉が玉箱の玉出口近傍にない場合、利用者は当たり玉がしばらく出そうにないと思うため、やはり抽選に参加する意欲を無くしてしまう。
【先行技術文献】
【特許文献】
【０００６】
【特許文献１】特開平８−６６５１１号公報
【特許文献２】特開２００５−３２９０９７号公報
【発明の概要】
【発明が解決しようとする課題】
【０００７】
本発明は、上記したような従来技術の問題点を解決すべくなされたものであって、玉箱の内部空間に収容されている玉が外部から見えることで利用者の抽選への参加意欲を高めることができるとともに、玉が外部から見えることによって逆に参加意欲が削がれることを防止することができ、結果として利用者の抽選への参加意欲を大いに高めることが可能となる抽選器を提供するものである。
【課題を解決するための手段】
【０００８】
請求項１に係る発明は、多数の玉を収容する内部空間を有するとともに側面に玉出口を有する玉箱と、前記玉箱を中心軸回りに回転可能に支持する支持部材と、を備えており、前記玉箱は、前記内部空間を外部から視認可能とする透明又は半透明な前面部を備えるとともに、前記前面部の一部のみに前記玉出口の内部空間側を外部から視認不可とする非透明部が設けられていることを特徴とする抽選器に関する。
【０００９】
請求項２に係る発明は、前記内部空間に収容された多数の玉は、抽選結果を表すために色分けされた色表示部を有し、前記色表示部は、一方向からは見えるが他方向からは見えない玉表面の一部のみに設けられていることを特徴とする請求項１記載の抽選器に関する。
【００１０】
請求項３に係る発明は、前記内部空間に収容された多数の玉は、前記玉出口から落下して着地した時の衝撃を受けて発光することにより、抽選結果を表す色を表示することを特徴とする請求項１記載の抽選器に関する。
【００１１】
請求項４に係る発明は、前記内部空間に収容された多数の玉は、特定波長の光を受光することにより、抽選結果を表す色を表示することを特徴とする請求項１記載の抽選器に関する。
【００１２】
請求項５に係る発明は、前記非透明部は、前記前面部の内面に密接して配置された非透明板から構成されており、前記非透明板に前記玉箱を回転させる際に把持する取っ手が取り付けられていることを特徴とする請求項１乃至４いずれかに記載の抽選器に関する。
【発明の効果】
【００１３】
請求項１に係る発明によれば、玉箱が内部空間を外部から視認可能とする透明又は半透明な前面部を備えているため、抽選器の利用者は前面部を通して外部から玉箱の内部に収容された玉を見ることができる。そのため、利用者は、玉箱内に当たり玉が入っているかどうかを確認することができ、抽選への参加意欲が高まる。加えて、前面部の一部のみに玉出口の内部空間側を外部から視認不可とする非透明部が設けられていることから、当たり玉が出尽くして入っていない状態となった場合でも、利用者に対して自分が見ることができない玉出口近くの非透明部に当たり玉が入っているかもしれないという期待感を抱かせることができるため、参加意欲が削がれることがない。従って、利用者の抽選への参加意欲を高く維持し続けることが可能となる。
【００１４】
請求項２に係る発明によれば、前記内部空間に収容された多数の玉は、抽選結果を表すために色分けされた色表示部を有し、前記色表示部は、一方向からは見えるが他方向からは見えない玉表面の一部のみに設けられていることから、抽選器の利用者が前面部を通して外部から玉箱の内部に収容された玉を見たとき、一方向（前面部側）に向いている玉の色表示部が見えるため、抽選への参加意欲が高まる。加えて、当たり玉が出尽くして入っていない状態となった場合でも、利用者は自分が見ることができない玉の反対側に当たりの色表示部があるかもしれないと思うため、参加意欲が削がれることがない。従って、利用者の抽選への参加意欲を高く維持し続けることが可能となる。
【００１５】
請求項３に係る発明によれば、前記内部空間に収容された多数の玉は、前記玉箱から落下して着地した時の衝撃を受けて発光することにより、抽選結果を表す色を表示することから、内部空間に収容されている玉のうち、どの玉が当たり玉であるかは、玉が出てくるまで分からない。従って、当たり玉が出尽くして入っていない状態となった場合でも、利用者の参加意欲が削がれることがない。従って、利用者の抽選への参加意欲を高く維持し続けることが可能となる。
【００１６】
請求項４に係る発明によれば、前記内部空間に収容された多数の玉は、特定波長域の光を受光することにより、抽選結果を表す色を表示することから、内部空間に収容されている玉のうち、どの玉が当たり玉であるかは、玉が出てから特定波長域の光を当てるまで分からない。従って、当たり玉が出尽くして入っていない状態となった場合でも、利用者の参加意欲が削がれることがない。従って、利用者の抽選への参加意欲を高く維持し続けることが可能となる。
【００１７】
請求項５に係る発明によれば、非透明部が、前面部の内面に密接して配置された非透明板から構成されていることから、非透明板により透明又は半透明な前面部が補強されて破損しにくくなり、抽選器の寿命を延ばすことができる。加えて、非透明板に玉箱を回転させる際に把持する取っ手が取り付けられていることから、玉箱を回転させる際に力が加わる取っ手の取り付け部分が非透明板により補強され、破損を効果的に防ぐことができる。
【図面の簡単な説明】
【００１８】
【図１】本発明に係る抽選器を正面（前面）側から見た斜視図である。
【図２】本発明に係る抽選器を裏面（後面）側から見た斜視図である。
【図３】本発明に係る抽選器において使用される玉の一例を示す図であり、（ａ）は玉を一方向（前方向）から見た図、（ｂ）は玉を他方向（後ろ方向）から見た図である。
【図４】本発明に係る抽選器の使用状態の一例を示す斜視図である。
【図５】本発明に係る抽選器の使用状態の一例を示す斜視図である。
【発明を実施するための形態】
【００１９】
以下、本発明に係る抽選器の好適な実施形態について、図面を参照しながら説明する。
図１は本発明に係る抽選器を正面（前面）側から見た斜視図であり、図２は本発明に係る抽選器を裏面（後面）側から見た斜視図である。尚、図中の矢印は抽選時における回転方向を示す。
本発明に係る抽選器は、多数の玉（１）を収容する内部空間を有する玉箱（２）と、この玉箱（２）を中心軸回りに回転可能に支持する支持部材（３）とを備えている。
【００２０】
玉箱（２）は八角柱状であって、その八つの側面の１つに内部空間に収容された玉（１）を外部に取り出すための玉出口（４）が設けられている。尚、本発明において玉箱（２）の形状は八角柱状には限定されず、六角柱状や五角柱状等の角の数が異なる他の角柱状であってもよいし円柱状や球状であってもよい。
玉箱（２）は、耐久性や外観の美しさの点から木製であることが好ましいが、合成樹脂製や金属製等の他の素材から製作したものでもよい。但し、後述する透明部については、アクリル樹脂やガラス等の透明又は半透明な素材から製作される。
【００２１】
支持部材（３）は、その下部が基板（５）の上面に固定されており、その上部には回転軸（６）が基板（５）の表面幅方向に対して平行に延びるように取り付けられている。回転軸（６）は玉箱（２）の中心を貫通しており、これによって、玉箱（２）が中心軸回りに支持部材（３）より回転可能に支持されている。尚、支持部材（３）は、玉箱（２）の前面側と後面側の両方に夫々設けてもよいが、利用者が玉箱（２）を正面側から見やすいように、図示のように玉箱（２）の後面側のみに設けることが好ましい。
【００２２】
基板（５）の上面には、玉箱（２）の玉出口（４）から取り出された玉（１）を受けるための受け皿（７）が載置されている。基板（５）は木製とすることが好ましい。受け皿（４）は、例えば金属製のものが使用されるが、合成樹脂製や木製等であってもよい。
【００２３】
玉箱（２）の前面部（２１）は、内部空間を外部から視認可能なように透明又は半透明とされている。以下、本明細書において、透明又は半透明な部分（内部空間を透視できる部分）を合わせて「透明部（２ａ）」と表し、透明でも半透明でもない部分（内部空間を透視できない部分）を合わせて「非透明部（２ｂ）」と表す。
【００２４】
このように、玉箱（２）の前面部（２１）が透明部（透明又は半透明な部分）（２ａ）とされていることにより、図１に示すように、抽選器の利用者は前面部（２１）を通して外部から玉箱（２）の内部に収容された玉（１）を見ることができる。そのため、利用者は、玉箱（２）内に当たり玉が入っているかどうかを確認することができ、抽選への参加意欲が高まる。
【００２５】
但し、本発明の抽選器は、前面部（２１）の全面が透明部（２ａ）とされているものではなく、図１に示すように、前面部（２１）の一部のみに玉出口（４）の内部空間側を外部から視認不可とする非透明部（２ｂ）が設けられている。
非透明部（２ｂ）は、利用者が外部から前面部（２１）の透明部を介して玉出口（４）の裏側（内部空間側）を見ることができないようにする役割を果たしている。
【００２６】
このように、前面部（２１）の一部のみに玉出口（４）の内部空間側を外部から視認不可とする非透明部（２ｂ）が設けられていることから、当たり玉が出尽くして入っていない状態となった場合でも、利用者に対して自分が見ることができない玉出口近くの非透明部に当たり玉が入っているかもしれないという期待感を抱かせることができるため、利用者の参加意欲が削がれることがない。従って、利用者の抽選への参加意欲を高く維持し続けることが可能となる。
【００２７】
非透明部（２ｂ）は、前面部（２１）の内面に密接して配置された木製や合成樹脂製等の非透明板から構成されており、この非透明板に玉箱（２）を回転させる際に把持する取っ手（８）が取り付けられている。
透明又は半透明な前面部（２１）は、木材や金属等の素材から形成することができず、アクリル樹脂やガラス等から形成しなければならないため、他の部分に比べてひび割れ等の破損が生じやすい。非透明部（２ｂ）を、前面部（２１）の内面に木製や合成樹脂製等の非透明板を密接して構成することにより、非透明板により前面部（２１）が補強されて破損しにくくなり、抽選器の寿命を延ばすことが可能となる。
また、非透明部（２ｂ）を構成する非透明板に取っ手（８）を取り付けることにより、玉箱（２）を回転させる際に力が加わる取っ手の取り付け部分が非透明板により補強され、破損を効果的に防ぐことができる。但し、本発明において、取っ手（８）の取り付け位置はこれに限定されず、例えば回転軸（６）に取り付けてもよい。
【００２８】
非透明部（２ｂ）は、前面部（２１）の玉出口（４）が設けられた側のみに形成されており、前面部（２１）のその他の部分（回転軸近傍部分は除く）は全て透明部（２ａ）とされている。これにより、前面部（２１）の面積全体に占める透明部（２ａ）の割合が高くなり、利用者は玉箱（２）の内部空間を外部から十分に視認することができる。
【００２９】
非透明部（２ｂ）は、利用者が外部から玉出口（４）の裏側（内部空間側）を見ることができない範囲において、なるべく狭い面積で形成することが好ましい。従って、前面部（２１）の面積全体に占める非透明部（２ｂ）の割合は多くとも５０％未満、好ましくは２０〜３０％に設定する。非透明部（２ｂ）の幅（玉箱の半径方向の長さ）（Ｗ１）は、玉箱（２）の幅（Ｗ２）及び／又は半径（Ｒ）より小さく設定し、好ましくは幅（Ｗ２）及び／又は半径（Ｒ）の１／４〜１／２に設定する。
非透明部（２ｂ）の形状は、利用者が外部から玉出口（４）の裏側（内部空間側）を見ることができない範囲において適宜決定することができ、特に限定されるものではない。非透明部（２ｂ）の形状の一例としては、図示例のような台形状とすることができる。図示例の非透明部（２ｂ）は、多角形状（八角形状）の玉箱（２）の前面部（２１）において、玉出口（４）が設けられている側面（２２）に沿う一辺を上底とし、玉出口（４）が設けられている側面（２２）と隣り合う２つの側面に夫々沿う２つの辺の一部（約半分）を左右の側辺とし、この左右の側辺をつなぐ辺を下底とする等脚台形状である。
【００３０】
本発明において、透明部は玉箱（２）の前面部（２１）のみに設けてもよいが、図２に示すように玉箱（２）の後面部（２３）にも設けることができる。玉箱（２）の後面部（２３）にも透明部を設けると、利用者は抽選器の裏側（後ろ側）からも玉箱の内部空間を見ることができるため、より強く利用者の興味を惹き付けることが可能となる。
この場合、後面部（２３）に設ける非透明部（２ｂ）も、利用者が玉出口（４）の内部空間側を外部から視認不可とするように設ける必要がある。そのため、後面部（２３）の非透明部（２ｂ）は、図示のように前面部（２１）の非透明部（２ｂ）と対応する位置及び大きさに設けることが好ましい。
【００３１】
本発明において、玉箱（２）の透明部は、前面部（２１）に加えて、或いは前面部（２１）と後面部（２３）に加えて、側面部（側板部）にも設けてもよい（図示略）。玉箱（２）の側面部にも透明部を設けると、利用者は抽選器の横側（側方）からも玉箱の内部空間を見ることができるため、さらに強く利用者の興味を惹き付けることが可能となる。
この場合、側面部に設ける非透明部も、利用者が玉出口（４）の内部空間側を外部から視認不可とするように設ける必要がある。
【００３２】
玉箱（２）の内部空間に収容される多数の玉（１）は、抽選結果を表すための表示部を有している。表示部は、数字、記号、文字等であってもよいが、色分けされた色表示部であることが非常に好ましい。例えば、色表示部の色を、１等賞は金色、２等賞は銀色、３等賞は赤色、４等賞は青色、５等賞は黄色、はずれは白色等のように色分けする。このような色表示部を有することにより、利用者は透明部を介して当たり玉（上位等級の玉）があることを視覚的に容易に確認することができ、抽選への参加意欲が高められる。
【００３３】
本発明においては、上記色表示部は、一方向からは見えるが他方向からは見えない玉表面の一部のみに設けられていることが好ましい。
図３はこのような色表示部を設けた玉（１）を示す図であって、（ａ）は正面図、（ｂ）は背面図である。図３に示す玉（１）の色表示部（１ａ）は、玉の直径に比べて十分に小さい直径をもつ円形に表示されているため、玉（１）を一方向（正面側）から見た場合には見えるが、他の方向（例えば背面側）から見た場合には見えない。
【００３４】
このような玉（１）を用いた場合、抽選器の利用者が前面部（２１）を通して外部から玉箱の内部に収容された玉（１）を見たとき、図４に示すように、一方向（前面部側）に向いている玉（１）の色表示部（１ａ）が見えるため、当たり玉が玉箱（２）内にあることが分かり、抽選への参加意欲が高まる。
一方、当たり玉が出尽くして入っていない状態となった場合でも、利用者は自分が見ることができない玉（１）の反対側に当たりの色表示部（１ａ）が向いているかもしれないと思う。つまり、利用者に対して、色表示部（１ａ）が自分からは見えない反対側（後ろ側）を向いている当たり玉があるかもしれないと思わせることができるため、参加意欲が削がれることがない。従って、利用者の抽選への参加意欲を高く維持し続けることが可能となる。
【００３５】
本発明においては、玉箱（２）に収容される玉（１）として、玉出口（４）から落下して着地した時の衝撃を受けて発光することにより抽選結果を表す色を表示する玉を使用する構成も好ましく採用できる。
このような玉は、例えば、電圧バイモルフとＬＥＤとを接続してモールド材でコーティングしたものを、玉（１）に内蔵することにより製作することができる。
電圧バイモルフは、厚み方向に分極された２枚の圧電素子板からなり、内部に電極を埋め込んで貼り合わせた構造を有している。このような構造を有するバイモルフに対して外部から衝撃を加えると、圧電素子に歪みが生じて圧電素子から電圧が発生し、この電圧によりＬＥＤが発光する。発光色はＬＥＤの種類を変えて設定することができる。
そのため、電圧バイモルフとＬＥＤとを内蔵した玉（１）を使用すると、図５に示すように、玉（１）が玉出口（４）から落下して着地した時の衝撃を受けて発光し、この発光色により抽選結果が表示されることとなる。
【００３６】
このような光る玉（１）を用いた場合、利用者は、玉箱（２）に収容されている玉のうち、どの玉が当たり玉であるかは、玉が出てくるまで分からない。従って、当たり玉が出尽くして入っていない状態となった場合でも、利用者に対して当たり玉があるかもしれないと思わせることができるため、利用者の参加意欲が削がれることがない。従って、利用者の抽選への参加意欲を高く維持し続けることが可能となる。
【００３７】
また、電圧バイモルフの起電力とＬＥＤの発光に要する電力との関係を適当に設定することにより、玉（１）は、玉箱（２）の回転時に他の玉（１）とぶつかった時の衝撃でも発光するようになる。そうすると、利用者が玉箱（２）を回転させると、玉箱（２）内部で多くの玉が様々な色できらきらと光って非常に綺麗な外観となり、子供や女性の興味を大いに惹き付けて抽選への参加意欲を高めることが可能となる。
【００３８】
本発明においては、玉箱（２）に収容される玉（１）として、特定波長域の光を受光することにより、抽選結果を表す色を表示する玉を使用する構成も好ましく採用できる。
このような玉は、例えば、ブラックライト（例えば波長３６５〜３９５ｎｍの紫外光を照射する光源）を照射することによって発光する蛍光インクを用いて着色することにより製作することができる。
このような蛍光インクを用いて着色された玉（１）を使用すると、玉出口（４）から取り出された玉（１）に対して、ブラックライトを照射することにより、玉（１）が発光し、この発光色により抽選結果が表示されることとなる。玉出口（４）から取り出された玉（１）に対するブラックライトの照射は、玉（１）が出てくる度に抽選会の主催者側の人が個別に行ってもよいし、予め空の受け皿（７）に対してブラックライトを照射しておき、玉（１）が受け皿（７）に落ちると自動的にブラックライトが当たって発光するようにしてもよい。
【００３９】
このような玉（１）を用いた場合、利用者は、玉箱（２）に収容されている玉のうち、どの玉が当たり玉であるかは、出てきた玉にブラックライトを当てるまで分からない。従って、当たり玉が出尽くして入っていない状態となった場合でも、利用者に対して当たり玉があるかもしれないと思わせることができるため、利用者の参加意欲が削がれることがない。従って、利用者の抽選への参加意欲を高く維持し続けることが可能となる。
【産業上の利用可能性】
【００４０】
本発明に係る抽選器は、商店街の福引やビンゴゲーム等において好適に利用することができる。
【符号の説明】
【００４１】
１      玉
１ａ    色表示部
２      玉箱
２１    前面部
２２    玉出口が設けられている側面
２３    後面部
２ａ    透明部
２ｂ    非透明部
３      支持部材
４      玉出口
５      基板
６      回転軸
７      受け皿
８      取っ手
【図１】
2014106931.tif 000003
【図２】
2014106931.tif 000004
【図３】
2014106931.tif 000005
【図４】
2014106931.tif 000006
【図５】
2014106931.tif 000007
【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
多数の玉を収容する内部空間を有する玉箱と、前記玉箱を中心軸回りに回転可能に支持する支持部材と、を備えており、
前記玉箱は、前面部と後面部と側面とを有する角柱状又は円柱状であり、
前記前面部には前記玉箱を回転させる際に把持する取っ手が取り付けられ、前記側面には玉出口を有し、
前記前面部及び後面部には、前記内部空間を外部から視認可能とする透明又は半透明な透明部と、前記玉出口の裏側を外部から視認不可とするとともに前記前面部及び後面部の夫々の全面積に対して５０％未満の範囲のみを覆う非透明部が設けられており、
前記前面部及び後面部の前記範囲以外の部分は前記中心軸近傍部分を除いて全て透明部とされていることを特徴とする抽選器。
【請求項２】
前記内部空間に収容された多数の玉は、抽選結果を表すために色分けされた色表示部を有し、前記色表示部は、一方向からは見えるが他方向からは見えない玉表面の一部のみに設けられていることを特徴とする請求項１記載の抽選器。
【請求項３】
前記内部空間に収容された多数の玉は、前記玉出口から落下して着地した時の衝撃を受けて発光することにより、抽選結果を表す色を表示することを特徴とする請求項１記載の抽選器。
【請求項４】
前記内部空間に収容された多数の玉は、特定波長域の光を受光することにより、抽選結果を表す色を表示することを特徴とする請求項１記載の抽選器。
【請求項５】
前記非透明部は、前記前面部の内面に密接して配置された非透明板から構成されており、前記非透明板に前記取っ手が取り付けられていることを特徴とする請求項１乃至４いずれかに記載の抽選器。
【手続補正２】
【補正対象書類名】明細書
【補正対象項目名】０００８
【補正方法】変更
【補正の内容】
【０００８】
請求項１に係る発明は、多数の玉を収容する内部空間を有する玉箱と、前記玉箱を中心軸回りに回転可能に支持する支持部材と、を備えており、前記玉箱は、前面部と後面部と側面とを有する角柱状又は円柱状であり、前記前面部には前記玉箱を回転させる際に把持する取っ手が取り付けられ、前記側面には玉出口を有し、前記前面部及び後面部には、前記内部空間を外部から視認可能とする透明又は半透明な透明部と、前記玉出口の裏側を外部から視認不可とするとともに前記前面部及び後面部の夫々の全面積に対して５０％未満の範囲のみを覆う非透明部が設けられており、前記前面部及び後面部の前記範囲以外の部分は前記中心軸近傍部分を除いて全て透明部とされていることを特徴とする抽選器に関する。
【手続補正３】
【補正対象書類名】明細書
【補正対象項目名】００２１
【補正方法】変更
【補正の内容】
【００２１】
支持部材（３）は、その下部が基板（５）の上面に固定されており、その上部には前記中心軸となる回転軸（６）が基板（５）の表面幅方向に対して平行に延びるように取り付けられている。回転軸（６）は玉箱（２）の中心を貫通しており、これによって、玉箱（２）が中心軸回りに支持部材（３）より回転可能に支持されている。尚、支持部材（３）は、玉箱（２）の前面側と後面側の両方に夫々設けてもよいが、利用者が玉箱（２）を正面側から見やすいように、図示のように玉箱（２）の後面側のみに設けることが好ましい。